(57)【要約】【課題】  電工ドラムを利用して、照明の無い現場作業や夜間照明において停電状態となると周囲が見えなくなりトラブルの原因ともなる。また、作業等の終了後、片付けにおいても暗いときは大変不便となるものである。よって、通電の遮断又は停電時、即座にランプを点灯することを提供するものである。【解決手段】  電工ドラムに保安用ランプを取付けて、前記保安用ランプを点灯させる充電池と充電回路を設ける。よって、商用交流電源を供給を遮断すると、充電池によってランプが即座に点灯するものである。【選択図】        図１
2007022803.tif 000002
【特許請求の範囲】
【請求項１】
前側板と後側板を形成した筒状を回転可能に支持する軸を有する支持脚とを備えたケーブルリールの前記前側板において、前記筒状に巻回されたケーブルの一端にコンセント及び充電機能を備えた保安灯回路基板と充電池、ランプを電気的に接続し設けたことで、停電時に自動点灯するように構成したことを特徴とする電工ドラム。
【請求項２】
前記前側板にランプ部分を着脱できるように設けたことを特徴とする請求項１記載の電工ドラム。
【請求項３】
前記停電灯回路である前記ランプを点灯、消灯のスイッチ回路において、オフ状態においても通電状態になるとオン状態となるように自動復帰スイッチ回路を設けたことを特徴とする請求項１、２記載の電工ドラム。
【発明の詳細な説明】
【技術分野】
【０００１】  本発明は、電工ドラムに関し、電工ドラムによって商用交流電源の電源供給中、ケーブルの差込みプラグを抜いたり、停電時に電工ドラムに設けたランプが自動点灯する装置に関する。
【背景技術】
【０００２】  従来、電工ドラムにおいて、照明器具、電動工具を利用して電気工事、建築工事等様々な用途によういられる。これらの電工ドラムを効率よく安全に利用するため様々な工夫がなされている。【０００３】  コードの引き出し、巻き取りを効率よくするため、コードドラムのフレームに支持アームと案内部を設けて、回転制御したドラムがある。（例えば特許文献１参照）
また、電工ドラムに設けた複数のコンセントの一部に電源電圧を変圧するトランスを設けたものがある。（例えば特許文献２参照）
また、電工ドラム内に漏電遮断器と接地端子を備えて、接地端子が接地されていなければ漏電遮断器の投入を禁止することができ、コンセントからの電源が供給されるのを禁止できるものがある。（例いば特許文献３参照）【０００４】
【特許文献１】  特開昭５３−１１２４７８号公報
【特許文献２】  実開平２−１７９２４号公報
【特許文献３】  実公平６−３８０５３公報
【発明の開示】
【発明が解決しようとする課題】
【０００５】  しかしながら、従来の電工ドラムを建設工事又は、電気工事、臨時照明様々な利用において暗い現場や夜間等の現場で、ブレーカーがオフ作動したり、差し込みプラグが商用交流電源のコンセントから外れたり、様々なことにより停電して暗くなることで、トラブルを生じることが多いものである。【０００６】  そこで本発明は、上記の課題を鑑み、商用交流電源よりの供給が遮断したとき不通電によって停電すると、即座に保安用ランプが点灯して周囲を明るくしてトラブルを防ごうとするものである。
【課題を解決するための手段】
【０００７】  上記の課題を解決するため、本発明は回転可能な電工ドラムの前側板の取付盤に電気的に接続した電動工具への電源供給のコンセントを取付けると共に、保安用ランプとランプスイッチを取付けて、保安用ランプの点灯用に充電池と充電回路付保安灯回路を装備する。よって、作業をおこなうとき電工ドラムよりケーブルを引き出して、差込みプラグを商用交流電源のコンセントに差込むことで、電工ドラムの本来の機能を有しながら、通電中に充電作用をおこない、停電時に点灯をすることを特徴としたものである。【０００８】  また、前記電工ドラムより前記保安灯ランプをワンタッチで着脱可能にするため、前記保安灯ランプ外装の後部に磁石部分を設けて、前記電工ドラムの装着部に前記磁石部分が吸着できるように鉄板部を設けたことを特徴とする。【０００９】  また、前記電工ドラムの差込みコンセントを抜いたり、ブレーカーをオフにしたりすることで商用交流電源より切り離すと、前記保安灯ランプの点灯するが情況によって消灯するように、オン、オフのスイッチが設けている。いまスイッチをオフにすることで消灯して、再度前記電工ドラムを利用するため商用交流電源より給電すると停電検知回路が検知して、前記スイッチ回路を制御する事で、スイッチが自動復帰してオンとなり、通常の機能に戻ることを特徴とする。
【発明の効果】
【００１０】  本発明は、以上説明したように構成されているので、以下に記載されているような効果を奏する。【００１１】  請求項１記載の発明によれば、電工ドラムに充電機能と保安灯ランプを備えたことで、常に携帯していることで次のような効果を得ることができるものである。
電工ドラムを利用して、暗い工事現場や夜の臨時照明として作業中に、商用交流電源より供給できなくなると即座に点灯することから、周囲を見えることで情況を確保できる。よって、トラブルを最小限に防ぐことができる。
また、暗い情況の中で、作業等が終了の後、商用交流電源より外しても保安灯ランプが点灯することで、足下が見える事で整理整頓が効率よく進むものである。【００１２】  請求項２記載の発明によれば、必要におおじて取り外し高さを変えたり、方向を自由に変えることで照度範囲を変えることができ、視野が広がり効率のよい照明として利用ができるものである。【００１３】  請求項３記載の発明によれば、前記電工ドラムへ商用交流電源が遮断せらると、保安灯ランプが点灯するが、必要がなくなれば保安灯スイッチをオフとして消灯にする。この状態で再度、電工ドラムを利用するとき商用交流電源より給電すると、保安灯スイッチが自動的にオン状態に復帰する事で保安灯ランプとして常に万全の状態で対応することができることを提供することができる。
【発明を実施するための最良の形態】
【００１４】  本発明の実施の形態について図面を参照して説明する。
本発明の第一実施例を説明する。図１は本発明の第一実施例の外観図である。図２は一部破断の側面図である。図３は充電回路付保安灯点灯回路とその周囲の回路構成図である。
いま図において、１は電工ドラムの全体、２は保安用ランプで停電時において点灯すると共に、通電時においても１０の常用灯スイッチによる点灯、消灯ができる。３は点灯切換回路で通電時と停電時との切換を自動的に行う回路である。４は切換手段で７の停電検知回路によって停電（商用交流電源１５の供給の遮断）を検知すると８の充電池の電流が流れるように回路を開く、５はランプスイッチで停電時に保安用ランプが点灯するが、点灯の必要がなくれば前記ランプスイッチのオフによって消灯ができる。９は差し込みプラグである。１１は１５の商用交流電源が通電中に動作する常用灯回路である。１２は整流回路である。２４は商用交流電源１５を電動工具等に供給するためのコンセントである。１４は商用交流電源１５が供給されると、通電状態であることを知らせる通電表示灯のＬＥＤである。５１は警報スイッチで、ランプスイッチ５と連動するもので、ランプスイッチ５をオフにすると警報スイッチ５１はｂ側からａ側の接点に接触する。１３はランプスイッチ５がオフ状態であることを知らせる警報ブザーである。２０は運搬用ハンドルである。２１は電工ドラムの支持脚である。２２は回転操作摘みである。【００１５】  よって、本発明の第一実施例を利用するとき、電工ドラム１のケーブルの差し込みプラグ９を商用交流電源１５側のコンセントに接続すると、通電表示灯１４が電流はＲ２を流れＬＥＤが発光して通電状態を表すことでコンセント２４は利用する電動工具の電源供給ができる状態となる。
一方、保安灯点灯回路へ電源供給がヒューズを経て電流が流れる。よって、整流回路１２を経て、停電検知回路７によって通電を検知して充電回路６が充電池８に充電電流を供給して充電をする。充電が完了すれば待機状態となる。ここで、商用交流電源１５からの供給を遮断、あるいは停電状態となると、停電検知回路７が停電を検知して切換手段４を制御して、充電池８の電流をランプスイッチ５を経て点灯切換回路３に流れて充電池８の電源として放電を開始して保安用ランプ２が点灯する。再び商用交流電源１５が供給すると停電検知回路７が通電を検知して切換手段４が充電池６の放電を停止して保安用ランプ２を消灯する。
また、停電状態となり保安灯ランプ２が点灯しているとき、点灯による照明が不要になれば、ランプスイッチ５をオフにすることで消灯ができる。このとき、ランプスイッチ５と警報スイッチ５１は連動していることから警報スイッチ５１の端子はｂ側からａ側に切り替わる。この状態で再び電工ドラム１に商用交流電源１５を供給して、通電すると警報ブザー１３にＲ１を経て電流が流れて警報音をはする。これは、ランプスイッチ５がオフ状態であることを知らせるものである。よって、ランプスイッチ５をオン側にすることで警報音が止まり、通常の保安灯回路となり、再度、停電時に保安用ランプ２が点灯するものである。
また、商用交流電源１５を通電中に常用灯スイッチ１０のオン、オフにすることで常用灯回路１１を経て保安用ランプ５を点灯、消灯にすることができる。
なお、警報ブザー１３をＬＥＤに変えてブザー音をＬＥＤの点灯にすることでオン復帰を促すものである。【００１６】  また、本発明の第二実施例の形態を説明する。図４は保安用ランプを着脱可能にして、取り外した正面図である。
いま図において、１７はランプ組立てある。１９はランプ組立１７を取付部分のランプ組立装着部である。ランプ組立１７とランプ組立装着１９を容易に装着できるようにランプ組立１７の裏側に１８の磁石を設けてランプ組立装着１９の金属部に吸着する。２２はランプ組立１７の取手である。【００１７】  したがって、第二実施例の利用については、前記項目の第一実施例と同様に、電工ドラムを利用して商用交流電源１５の通電状態のとき、通電が遮断して停電が発生すると保安用ランプ２が点灯する。このとき、照明の位置を変えて明るさをとりたいとき、保安用ランプ２を内蔵したランプ組立１７の取手２２を持ち取り外してランプコード２３を伸ばして、必要な所に照らすことが可能であるから、照明の用途をひろげることができる。【００１８】  また、本発明の第三実施例の形態を説明する。１６は自動復帰スイッチ回路で、第一実施例の回路構成図における手動操作のランプスイッチ５の接続部に入れ替え接続する。
自動復帰スイッチ回路１６の動作は、オフ動作は手動でおこなうができるもので、保安用ランプ２の点灯を消灯するとき手動によりオフにする。オフ動作の状態のまま通電状態になると自動復帰動作によってオンとなることで、常に保安用ランプ２としての活用ができるものである。【００１９】  したがって、第三実施例の利用については、前記実施例と次の点が異なる。すなわち、商用交流電源１５からの供給が遮断して、停電状態となると保安用ランプ２が即座に点灯する。
ここで、保安用ランプ２の点灯の必要がなくなれば、自動復帰スイッチ回路１６を手動操作によってオフ動作にすることで消灯にすることができる。この状態で再度、電工ドラム１を商用交流電源１６の通電をおこなうと、ヒューズ、整流回路１２をへて停電検知回路７によって通電を検知して、この検知信号によって自動復帰スイッチ回路１６を制御おこなうことによって自動復帰スイッチ回路１２のスイッチがオン状態に復帰する。
また、充電回路６によって充電池８が充電作用する。したがって、再び通電の遮断がおこなわれると保安用ランプ２が点灯するものである。
【図面の簡単な説明】
【００２０】
【図１】  本発明の第一実施例の外観の正面図である。
【図２】  本発明の第一実施例の外観で一部破断の側面図である。
【図３】  本発明の第一実施例の保安灯点灯回路を示す回路構成図である。
【図４】  本発明の第二実施例の外観で保安用ランプを外した正面図である。
【図５】  本発明の第三実施例の保安灯点灯回路を示す回路構成図である。
【符号の説明】
【００２１】    １は電工ドラム                          ２は保安用ランプ
３は点灯切換回路                        ４は切換手段
５はランプスイッチ                      ６は充電回路
７は停電検知回路                        ８は充電池
９は差し込みプラグ                      １０は常用灯スイッチ
１１は常用灯回路                        １２は整流回路
１３はは警報ブザー                      １４は通電表示灯
１５は商用交流電源                      １６は自動復帰スイッチ回路
１７はランプ組立                        １８は吸着用磁石
１９はランプ組立装着部                  ２０は運搬用ハンドル
２１は支持脚                            ２２は取手
２３はランプコード                      ２４はコンセント
２５は回転操作摘み                      ５１は警報スイッチ
５２は充電回路付保安用点灯基板          ５３はケーブル
【図１】
2007022803.tif 000003
【図２】
2007022803.tif 000004
【図３】
2007022803.tif 000005
【図４】
2007022803.tif 000006
【図５】
2007022803.tif 000007